(57)【要約】【課題】  使用状態でも水分や肥料を畝に容易に供給し得る農業用マルチシートを提供する。【解決手段】  ３枚以上の帯状シート体１を、長手方向に小幅寸法の重ね部２を生ずるよう重ね合わせて平行に配設すると共に、重ね部２を所定ピッチをもって熱融着して、３枚以上の帯状シート体１を連結した。また、３枚以上の帯状シート体１の内、中央部のシート体１ａの端縁部３，３が、その隣のシート体１ｂ，１ｂの下面に重ね合うように重ね部２を形成し、畝30に被せた使用状態で受け口状にスリット４を形成するように構成した。【選択図】  図２
0003113973.tif 000002
【実用新案登録請求の範囲】
【請求項１】
３枚以上の帯状シート体（１）を、長手方向に小幅寸法の重ね部（２）を生ずるよう重ね合わせて平行に配設すると共に、該重ね部（２）を所定ピッチをもって熱融着して、３枚以上の上記帯状シート体（１）を連結したことを特徴とする農業用マルチシート。
【請求項２】
３枚以上の上記帯状シート体（１）の内、中央部のシート体（１ａ）の端縁部 (３)(３) が、その隣のシート体（１ｂ)(１ｂ）の下面に重ね合うように上記重ね部（２）を形成し、畝（30）に被せた使用状態で受け口状にスリット（４）を形成するように構成した請求項１記載の農業用マルチシート。
【請求項３】
３枚以上の帯状シート体（１）を、長手方向に小幅寸法の重ね部（２）を生ずるよう重ね合わせて平行に配設すると共に、該重ね部（２）を所定ピッチをもって熱融着して、３枚以上の上記シート体（１）を連結し、かつ、該重ね部（２）において、中央寄りの該シート体（１）の端縁部（３ａ）の上に側方寄りの該シート体（１）の端縁部（３ｂ）を重ね合わせ、畝（30）に被せた使用状態で受け口状にスリット（４）を形成するように構成したことを特徴とする農業用マルチシート。
【考案の詳細な説明】
【技術分野】
【０００１】
本考案は、農業用マルチシートに関する。
【背景技術】
【０００２】
一般に、トマト，茄子等の作物は、畑の畝に植え付けられて栽培される。そして、これらの作物を栽培する場合、畝の表面には、ポリエチレンや塩化ビニール等の薄膜状の樹脂材料から形成された農業用マルチシートが被覆される。農業用マルチシートは、畝が乾燥しすぎるのを防いで、作物を保護する機能を有する。従来では、農業用マルチシートの形状は単なる１枚のシート状であったが、近年、種々の構造のものが提案されている（例えば、特許文献１参照）。
特許文献１では、マルチシート本体の開孔部分の表面に沿って、さらに他の補助シートを少なくともこの開孔部分で取外し可能に重ねて設けて構成した農業用マルチシートが開示されている。
【特許文献１】実開平７−３９３７９号公報
【考案の開示】
【考案が解決しようとする課題】
【０００３】
しかしながら、上記特許文献１を含む従来の農業用マルチシートは、畝の表面を全体的に覆うものであった。また、マルチシートを使用する際には、作物を外部へ露出させるためにマルチシートに孔を形成するが、この孔は小さなものであった。このため、従来では、マルチシートの使用状態において、作物が根から水を吸収する等で畝の水分が減少した場合に、外部から畝に水分を供給するのが困難であった。また、従来では、マルチシートの使用状態において畝に肥料を与えることも困難であった。
そこで、本考案は、使用状態でも水分や肥料を畝に容易に供給し得る農業用マルチシートを提供することを目的とする。
【課題を解決するための手段】
【０００４】
上述の目的を達成するために、本考案に係る農業用マルチシートは、３枚以上の帯状シート体を、長手方向に小幅寸法の重ね部を生ずるよう重ね合わせて平行に配設すると共に、該重ね部を所定ピッチをもって熱融着して、３枚以上の上記帯状シート体を連結したものである。
また、３枚以上の上記帯状シート体の内、中央部のシート体の端縁部が、その隣のシート体の下面に重ね合うように上記重ね部を形成し、畝に被せた使用状態で受け口状にスリットを形成するように構成したものである。
【０００５】
また、３枚以上の帯状シート体を、長手方向に小幅寸法の重ね部を生ずるよう重ね合わせて平行に配設すると共に、該重ね部を所定ピッチをもって熱融着して、３枚以上の上記シート体を連結し、かつ、該重ね部において、中央寄りの該シート体の端縁部の上に側方寄りの該シート体の端縁部を重ね合わせ、畝に被せた使用状態で受け口状にスリットを形成するように構成したものである。
【考案の効果】
【０００６】
本考案に係る農業用マルチシートによれば、重ね部で形成された孔（スリット）を通して、水や肥料を外部から畝へ容易に供給することができる。
また、重ね部で孔（スリット）が形成されるにもかかわらず、畝の乾燥を防ぐという従来の農業用マルチシートと同程度の効果を維持できる。
また、帯状シート体を熱融着により連結するので、帯状シート体を連結するための連結具を省略できる。これにより、部品点数を少なくでき、安価に製造できる。
また、雨の際、雨水を自然にスリットから内部へ入れて、畝に水分を供給することができるので、（畝に人が水分を供給する必要がない分）作物の栽培作業が楽になる。
【考案を実施するための最良の形態】
【０００７】
図１及び図２に於て、本考案の第１の実施の形態に係る農業用マルチシート及びその使用状態を示す。本考案に係るマルチシートは、トマト，茄子等の作物31…を栽培する畑の畝30に使用される。第１実施形態に係るマルチシート10は、横断面視略半円状若しくは略台形状となった畝30の表面を全体的に覆うような大きさに形成されている。
マルチシート10は、３枚以上（この第１実施形態では５枚）の帯状シート体１…を長手方向に小幅寸法の重ね部２を生ずるよう重ね合わせて平行に配設すると共に、重ね部２を所定ピッチをもってスポット状に熱融着部５の位置で熱融着し、これら３枚以上の帯状シート体１…を連結することによって、形成されている。なお、本考案に於て、熱融着とは、ヒータ加熱、超音波加熱の両方を含むものとする。
【０００８】
シート体１…は、ポリエチレンや塩化ビニール製で薄膜状のものが使用される。第１実施形態では、シート体１は、全て同形状のものが使用されている。また、第１実施形態では、５枚のシート体１…が使用されているので、これらシート体１…の位置関係としては、中央部にシート体１ａが配置され、その両脇に２枚ずつ、中央部のシート体１ａに線対称となるようにシート体１ｂが配置されていると見ることもできる。
中央部のシート体１ａは、マルチシート10を畝30に被せた使用状態で畝30の頂上付近に位置する。そして、この中央部のシート体１ａには、マルチシート10の使用状態において、長手方向に所定ピッチをもって作物露出用孔６…が形成され、この作物露出用孔６…から畝30へ作物31の苗を植え付けるようになっている。
【０００９】
重ね部２…は、使用されるシート体１…の総数より一つ少ない数だけ形成される。第１実施形態では、５枚のシート体１…を使用しているので、４個の重ね部２…が形成される。
ここで、重ね部２…においては、中央寄りのシート体１の端縁部３ａの上に側方寄りのシート体１の端縁部３ｂを重ね合わせるようになっている。また、重ね部２…は、マルチシート10の使用状態で畝30の傾斜状となった面に位置している。これにより、マルチシート10を畝30に被せた使用状態では、各重ね部２の隣り合う熱融着部５，５間に、受け口状にスリット４…が形成されるように構成されている。
【００１０】
次に、図３に基いて、上述した構成の第１実施形態に係るマルチシート10の作用について説明する。
マルチシート10の使用状態では、横断面視略半円状若しくは略台形状の畝30の表面に沿うようにマルチシート10は変形しており、スリット４…は、斜め上方に開口している。この使用状態において雨が降った場合、雨水は、各シート体１（１ａ，１ｂ）の表面に沿って下方へ流れる。すると、雨水は、スリット４…の中へ自然と入り込み、畝30に水分が供給される（図３の矢印Ａ方向）。スリット４…は、横断面視において数カ所（第１実施形態では４箇所）に形成されているので、バランスよく畝30の全体に渡って、水分が供給されることとなる。
【００１１】
次に、図４は、本考案に係る農業用マルチシートの第２の実施形態を示す。
第２実施形態では、第１実施形態と異なる方法で帯状シート体１…を連結する場合を例示している。即ち、第２実施形態では、５枚の帯状シート体１…を長手方向に小幅寸法の重ね部２を生ずるよう重ね合わせて平行に配設した後、熱融着部７がマルチシート10の短手方向へ横断するように（つまりライン状となるように）して、シート体１…を連結している。このライン状の熱融着部７は、マルチシート10の短手方向へ熱融着用のヘッドを移動させることによって形成される。また、熱融着部７は、マルチシート10の長手方向に所定ピッチをもって複数設けられている。これにより、熱融着部がライン状でない第１実施形態と比較して、熱融着部７…を外観上はっきりと見ることができるので、マルチシート10を使用する際、熱融着部７…を定規代わりとして、作物露出用孔６…を所定ピッチをもって容易に形成することができる。その結果、作物31…の苗を畝30へ植え付ける際、苗を整然と植え付けることができ、作業時間を短縮できる。
なお、第２実施形態では、第１実施形態と同様のシート体１…が使用されており、重ね部２…においては、中央寄りのシート体１の端縁部３ａの上に側方寄りのシート体１の端縁部３ｂを重ね合わせるようになっている。
【００１２】
次に、図５は、本考案に係る農業用マルチシートの第３の実施形態を示す。
第３実施形態では、第１，第２実施形態と異なり、シート体１が３枚の場合を例示している。即ち、この第３実施形態では、３枚の帯状シート体１…の内、中央部のシート体１ａの端縁部３，３が、その隣のシート体１ｂ，１ｂの下面に重ね合うように重ね部２を形成している。そして、マルチシート10を畝30に被せた使用状態で受け口状にスリット４を形成するように構成している（図示省略）。その他の構造は、第２実施形態と同様である。
【００１３】
なお、本考案は、上述の実施の形態に限定されず、本考案の要旨を逸脱しない範囲で設計変更可能である。例えば、第１〜第３実施形態では、３枚以上の帯状シート体１…が全て同形状である場合を例示したが、本考案はこれに限らず、マルチシート10の使用状態において畝30の形状に重ね部２の位置が適合するように、各シート体１の大きさや形状を変更するも好ましい。例えば、畝が横断面視台形であって、上面が完全な水平状となるように形成されている場合には、畝の傾斜側面にのみ重ね部が位置するように、シート体の大きさを調整すればよい。このように構成すれば、受け口状のスリットが水平方向に開口することもなく、スリットから畝へ水分（雨水）を有効に供給できる。
【００１４】
以上のように、本考案に係る農業用マルチシートは、３枚以上の帯状シート体１…を、長手方向に小幅寸法の重ね部２を生ずるよう重ね合わせて平行に配設すると共に、重ね部２を所定ピッチをもって熱融着して、３枚以上の帯状シート体１…を連結するので、マルチシート10の使用状態で外部から畝30に通じる孔を、重ね部２の位置に設けることができる。これにより、重ね部２…で形成された孔を通じて、水や肥料を外部から畝30へ容易に供給することができる。
また、重ね部２…で形成された孔は、畝30の横断面視において畝30の外縁の接線方向に開口するので、マルチシート10の使用状態では、外観上、孔から畝30が大きく露出しないようにできる。これにより、重ね部２…で孔が形成されるにもかかわらず、畝30の乾燥を防ぐという従来の農業用マルチシートと同程度の効果を維持できる。
また、帯状シート体１…を熱融着により連結するので、帯状シート体１…を連結するための連結具を省略できる。これにより、部品点数を少なくでき、安価に製造できる。
【００１５】
また、３枚以上の帯状シート体１…の内、中央部のシート体１ａの端縁部３，３が、その隣のシート体１ｂ，１ｂの下面に重ね合うように重ね部２を形成し、畝30に被せた使用状態で受け口状にスリット４…を形成するように構成したので、中央部のシート体１ａに落ちた水滴が端縁部３，３の方へ流れ、スリット４…へ自然と入るようにすることができる。これにより、雨の際、雨水を自然にスリット４…から内部へ入れて、畝30に水分を供給することができるので、（畝30に人が水分を供給する必要がない分）作物31…の栽培作業が楽になる。
【００１６】
また、３枚以上の帯状シート体１…を、長手方向に小幅寸法の重ね部２を生ずるよう重ね合わせて平行に配設すると共に、重ね部２を所定ピッチをもって熱融着して、３枚以上のシート体１を連結し、かつ、重ね部２において、中央寄りのシート体１の端縁部３ａの上に側方寄りのシート体１の端縁部３ｂを重ね合わせ、畝30に被せた使用状態で受け口状にスリット４…を形成するように構成したので、スリット４…を通して、水や肥料を外部から畝30へ容易に供給することができる。
また、重ね部２…で形成されたスリット４…は、畝30の横断面視において畝30の外縁の接線方向に開口するので、マルチシート10の使用状態では、外観上、スリット４…から畝30が大きく露出しないようにできる。これにより、重ね部２…でスリット４…が形成されるにもかかわらず、畝30の乾燥を防ぐという従来の農業用マルチシートと同程度の効果を維持できる。  
また、帯状シート体１…を熱融着により連結するので、帯状シート体１…を連結するための連結具を省略できる。これにより、部品点数を少なくでき、安価に製造できる。
【図面の簡単な説明】
【００１７】
【図１】本考案の第１実施形態に係る農業用マルチシートを示す正面図である。
【図２】使用状態を示す斜視図である。
【図３】作用を説明するための簡略図である。
【図４】第２実施形態に係る農業用マルチシートを示す正面図である。
【図５】第３実施形態に係る農業用マルチシートを示す正面図である。
【符号の説明】
【００１８】
１，１ａ，１ｂ  シート体
２  重ね部
３  端縁部
４  スリット
30  畝
【図１】
0003113973.tif 000003
【図２】
0003113973.tif 000004
【図３】
0003113973.tif 000005
【図４】
0003113973.tif 000006
【図５】
0003113973.tif 000007